(57)【要約】  対応する対抗鉄筋に固定された完全な着座ヘッドおよびセンタリング突起を有する非調整式着座スタッドに対して吊上力または押力を加えるために１つの鉄筋に取り付けられたネジ式ポストにネジ留めされた調整カプラ部材を備える、その補強バー（鉄筋）を介してコンクリート要素を持ち上げ、ジャッキで推進し、押し分け、および位置決めするための、セルフセンタリング小型カプラ。着座ヘッドを囲繞および係合して鉄筋を結合するために、調整カプラ部材上にネジ留めされた、囲繞カプラ部材。着座スタッドおよび着座ヘッドの一体構成は、個々の構成要素の故障または滑りの付随する可能性とともに、部品点数を削減する。センタリング設備は、鉄筋のずれを適合させるための大きな内部公差の必要性をなくし、こうしてカプラから鉄筋への同軸な力の伝達を実質的に保証する。建築プロセスにおいて互いに対するコンクリート要素の相対位置を徐々に変化させて正確に調整するために使用されるカプラ。カプラの修正された実施形態およびその使用方法。
2019513926.tif 000002
【特許請求の範囲】
【請求項１】
建設中にその補強バー（鉄筋）を介して隣接するコンクリート要素を持ち上げまたは押し分け、および支持するための、小型のセルフセンタリング、ジャッキ推進、および位置決めカプラであって、
第１のコンクリート要素の鉄筋に取り付けられるネジ式ポストと、
センタリング突起を有する座面を有する統合された着座ヘッドを含むシャンクを備える、ワンピースの非回転着座スタッドであって、前記着座スタッドは第２のコンクリート要素の対応する対向鉄筋に固定されるようになっている、着座スタッドと、
内側ネジ式および外側ネジ式壁、ならびに端壁を有する調整カプラ部材であって、前記端壁は前記センタリング突起を受容するように補完的に構成されており、
前記調整カプラ部材は、前記ネジ式ポストにネジ留めされて前記固定着座スタッドの前記座面に対して回転するようになっており、前記端壁は前記突起と嵌合する際、前記対向する鉄筋をセンタリングおよび同軸に位置合わせする、調整カプラ部材と、
内側ネジ式壁および端壁開口を有する囲繞カプラ部材であって、
前記囲繞カプラ部材は、前記開口を通る前記着座スタッドの前記シャンクで前記調整カプラ部材にネジ留めされるようになっている、囲繞カプラ部材と、
を備え、
前記調整カプラ部材は、前記ネジ式ポストにネジ留めされて嵌合され、前記着座ヘッドに対して吊上力または押力を加え、前記第１から第２のコンクリート要素の位置は徐々に正確に調整されることが可能であり、所望の最終位置を実現すると、前記囲繞カプラ部材は、前記調整カプラ部材にネジ留めされて、前記着座ヘッドを前記調整カプラ部材に対して囲繞および係止し、これにより前記鉄筋も結合する、カプラ。
【請求項２】
前記着座スタッドは一体またはワンピース構造であり、前記着座ヘッドは、その座面の中心に位置する前記センタリング突起を有する円筒形ボスを備える、請求項１に記載のカプラ。
【請求項３】
前記着座スタッドの前記シャンクは、縮小サイズのネックを有し、前記囲繞カプラ部材の前記開口内に位置するときに増加した横方向移動または側方公差を提供する、請求項１に記載のカプラ。
【請求項４】
前記着座ヘッドの前記センタリング突起は円錐形、円錐台形、または先細構成である、請求項１に記載のカプラ。
【請求項５】
前記突起を受容するようになっている前記調整カプラ部材の前記端壁は窪みまたは開口を備え、前記窪みまたは開口が前記突起と完全に嵌合すると、前記突起と前記窪みまたは開口との間に少なくとも幅３ミリメートルの間隙ができる、請求項１に記載のカプラ。
【請求項６】
前記突起を受容するようになっている前記調整カプラの前記端壁は窪みまたは開口を備え、前記窪みまたは開口が前記突起と完全に嵌合すると、前記突起と前記窪みまたは開口との間に幅３ミリメートル未満の間隙ができる、請求項１に記載のカプラ。
【請求項７】
前記調整および囲繞カプラは、１つ以上のスパナを用いて前記調整および外部カプラを回転して締め付けるための、外面上に機械加工されたファセットまたは平面を有する、請求項１に記載のカプラ。
【請求項８】
前記ネジ式ポストは、前記ネジ式ポストとのネジ嵌合を越えて前記調整カプラ部材が巻き付けられるのを防止するための安全機能として、一端に拡張された非ネジ式部分を有する、請求項１に記載のカプラ。
【請求項９】
前記ネジ式ポストは、一端に窪みまたは開口を有することで、より多くの垂直調整空間を前記センタリング突起にもたらし、および／または前記組立済みカプラの全長を短縮する、請求項１に記載のカプラ。
【請求項１０】
前記調整カプラ部材に対して締め付けられる前記ネジ式ポストの上にロックナットがあり、引張または圧縮荷重の下にあるときに前記組立済みカプラの全体的な滑りまたは伸長を係合および制限する、請求項１に記載のカプラ。
【請求項１１】
流動性の硬化型充填剤、セメントグラウト、またはエポキシ、またはその他の類似の材料が、前記調整および囲繞カプラ部材の螺合時に形成された内部空洞内部空洞内に注入される、請求項１に記載のカプラ。
【請求項１２】
前記調整カプラ部材に充填剤を注入するための供給穴がある、請求項１に記載のカプラ。
【請求項１３】
前記調整カプラに空気を逃がすためのブリード穴がある、請求項１に記載のカプラ。
【請求項１４】
前記着座スタッドの前記シャンクおよび前記囲繞カプラは、前記囲繞カプラを邪魔にならないところに一時的に保持するための補完的なネジ式部分を有し、その一方で、前記調整カプラは前記所望の最終位置を実現する前に前記着座ヘッドと嵌合し、前記囲繞カプラ部材は前記調整カプラ部材にネジ留めされて前記鉄筋と結合する、請求項１に記載のカプラ。
【請求項１５】
張力カプラとして使用するために改造された請求項１に記載のカプラであって、前記改造は、
その内壁および外壁に追加のネジ溝を設けるために延長された前記調整カプラ部材と、
その内壁に追加のネジ溝を設けるために延長された前記囲繞カプラ部材と、を備え、
アセンブリ上で、両方のカプラ部材の前記伸長したネジ式壁により、
前記囲繞カプラの前記端壁は、前記調整カプラ部材が前記着座ヘッドに接触する前に前記着座ヘッドと嵌合することができ、前記調整および囲繞カプラ部材の継続的な螺合は、前記対向する鉄筋を張力下に置くことができる、カプラ。
【請求項１６】
請求項１に記載のカプラを使用して、その補強バーまたはスタッドを通じて互いの上に配置されたコンクリート建築要素の位置を調整する方法であって、
ａ）前記調整カプラ部材がネジ留めされたネジ式ポストを前記第１のコンクリート要素の前記鉄筋に取り付けるステップと、
ｂ）前記囲繞カプラ部材を通過した前記着座スタッドを第２のコンクリート要素の対応する対向鉄筋に取り付けるステップと、
ｃ）前記着座スタッドの前記補完的なネジ式部分に前記囲繞カプラ部材をネジ留めし、前記囲繞カプラを邪魔にならないところに一時的に保持するステップと、
ｄ）前記調整カプラ部材を前記ポストにネジ留めし、前記着座ヘッドを嵌合させ、同軸に位置合わせして吊上力または押力を加え、前記第１および第２のコンクリート要素の位置を互いに対して調整するステップと、
ｅ）調整の完了時に、前記囲繞カプラ部材を前記調整カプラ部材にネジ留めし、前記着座ヘッドを囲繞および係合して前記鉄筋を結合するステップと、
ｆ）あらゆるロックナットを締め付け、前記カプラアセンブリの個々の構成要素をさらに固定するステップと、
ｇ）場合により、前記カプラアセンブリのあらゆる空洞を充填剤で充填するステップと、その後
ｈ）前記カプラアセンブリをコンクリート中に永久的に埋め込むステップと、
を含む方法。
【発明の詳細な説明】
【技術分野】
【０００１】
オーストラリア特許仮出願第２０１６９０１５１０号明細書の開示は、特許証の本出願およびあらゆる国内出願において参照により援用されることが意図される。
【０００２】
本発明は、建物の建設中にその対向する補強バー（鉄筋）を介してコンクリート要素をネジジャッキで推進し、持ち上げ、または押し分けるための、新規な改良された小型セルフセンタリング鉄筋カプラに関する。具体的には、カプラは不可欠な完全体（ｉｎｔｅｇｅｒ）として、特に回転可能で調整カプラ部材と嵌合するようになっている一体構造の統合されたセルフセンタリングヘッドを備える、ワンピースで非回転の（非調整式）着座スタッドを含む。着座スタッドおよび着座ヘッドの一体構成は、付随する個々の故障のあらゆる可能性とともに、部品点数を大きく削減する。着座スタッドのセンタリング能力は、対向する鉄筋のずれを適合させるための大きな内部公差の必要性をなくし、こうしてカプラから鉄筋への実質的に同軸な力の伝達を保証する。また、カプラの構成要素の経済性および唯一の調整式部材に対する制限は、あらゆる内部の伸長または固有の全体の滑りを解消または最小化するので、従来技術に対する著しい改善である。重要なことに、この要因は、カプラが国内および国際規格で現在要求されている厳しい公差適合性および安全性要件を満たすことを可能にする。
【背景技術】
【０００３】
補強バー（鉄筋）を結合する方法は建築業界において周知であるが、鉄筋の接合に先立つプレキャストコンクリート構造物の正確な位置決めに関連する問題の解決策は、これまでに類似の進歩が見られていない。ほとんど全ての状況において、先行技術の解決策は、一般に、最初にクレーンまたは支柱によって互いにコンクリート構造物を位置決めし、独立して支持することに依存する。その後、それぞれのコンクリート構造物から突起した関連する補強バーまたはロッドの接続が、これに続く。常に、バーがコンクリート構造物内に最初に打ち込まれたときの結果として、バーは完璧に位置合わせされないことが多い。
【０００４】
従来技術の鉄筋接続手段は、建築構造と同様に様々である。バーを接続する一般的な方法は、通常は個々のバーの直径の３０倍から４０倍の規定された重複長さで互いに重複および連結することによる。この方法は、正確に同軸に位置合わせされるようにバーを重複させる必要はないが、限られた建設スペースの範囲内で、複数のバーが密集してしまう可能性がある。この結果として常に、多数の重複および連結されたバーによって占有された広い空間に適合するだけのために、コンクリート要素は大きくなければならない。この方法は場所打ち構造物では一般的なやり方であるが、対向する構造要素が、たとえば離れた工場敷地など、建物から離れた場所で予め打たれる場合、さらに複雑になる。その場合、少なくとも１つのコンクリート要素は、重複手順によって必要とされる余分な空間に適合するために、その中に空洞を作る必要がある。空洞はまた、接続を永久に一体化しておくために、後にグラウトまたはエポキシ充填されるバーのあらゆるずれを許容するのに十分な大きさでなければならない。コンクリート要素は、支持しているコンクリート構造物が硬化するまで支柱または筋交いで支えられる必要があり、建築手順の間ずっと安全に固定されていなければならない。その結果、この方法に関連して回避できないほどの複雑さおよび材料の無駄が生じ、これは高額になるばかりでなく、時間と労力も要することになる。補強バーを接合する他の方法は、ネジ留めされるかまたは鉄筋の末端を接合するようになっているエポキシ接着剤によって取り付けられる、機械装置コネクタを利用する。しかしながら、機械的コネクタの使用は常に、バーが非常に緊密にまたはほぼ完全に位置合わせされることを要求する。また、この方法は通常、対向バーに接合されるバーが１つのみの場合に満足のいくものとなる。オーストラリア特許第２００３２１００７４号明細書および国際公開第９８／４４２１５号パンフレット（Ｂａｒｆｉｘ  Ｂｅｒｍｕｄａ  Ｌｔｄ）は、補強バーの一端で円錐ネジを切断するための糸切りを有する接続要素を伴う鋼バーを接合するための方法および装置を記載している。
【０００５】
オーストラリア特許第２００１０５１９６８号明細書は、バーと嵌合する係合部材を含むネジ式鋼バーとともに使用される、係合可能なナットを伴う構造筋交いシステムを開示している。係合部材は、指状部で作動するタブの変形の結果として変位する指状部の末端とロックナットを嵌合させる、指状部を有する。
【０００６】
上記従来技術の全てにおいて、補強バーを接続するための方法および装置はその対応物との完璧またはほぼ完璧な位置合わせに依存している。ほとんどの状況では、グループとして接続される必要がある複数のバーがあることが多い。言うまでもなく、１つのグループの全てのバーが対向グループの対応するバーと正確に位置合わせされることを確実にすることは、高度に熟練した労働集約的タスクである。
【０００７】
しかしながら、重要なことに、上記の例のいずれも、関連するコンクリート要素の位置を調整するために戦略的に選択された対向するバーを選択的に持ち上げるまたは押し分ける能力を提供しない。前述したように、積み重ねられるかまたは垂直に位置合わせされたコンクリート要素を伴うほとんど全ての状況において、解決策は通常、実際に接合する前に支柱またはその他の手段で一時的にコンクリート要素を配置して支持することである。この手順は複雑かつ多段階であり、しばしば補強バーが位置合わせされなくなり、最終的には上手く接続するのが困難な結果となる。
【０００８】
この問題に対する最近の解決策は、国際公開第２０１４／００００３８号パンフレットに開示された、組み合わせカプラおよび柱位置合わせ装置の開発であった。このカプラは、ネジ式鉄筋スタッドにネジ留めされた調整ナットを利用する。使用時には、調整ナットは、対向する鉄筋スタッド上にネジ留めされたカプラ部材の座面として機能するワッシャに対して強制的にジャッキで推進される。このカプラに関する重要な考察は、先の全ての例と同様に、鉄筋を実際に接合する前にこれらを位置合わせまたはセンタリングする必要性である。さらに、このカプラは、鉄筋への力の伝達を生じるために、複数のネジ式および非ネジ式構成要素を利用する。個別の各構成要素の追加に伴う問題は、潜在的な故障の総合的なリスクも相応に増加することである。カプラが適合性試験を受けると、全体の固有の滑りまたは伸長は、各ネジ式構成要素とともに劇的に増大する。この結果、装置は関連する工業安全規格に不合格または不十分となる可能性がある。１つの解決策は、（全体の滑りまたは伸長を低減する試みとして）様々な構成要素のサイズを増加させることであるが、大きなカプラは、通常は接合されるコンクリート要素の間にもたらされる限られた空間の中で使用するのを難しく、または不可能にする可能性がある。加えて、カプラのサイズが大きくなると、より多くの鋼を使用するのみならず、製造および／または組立により多くの時間および労力を要する可能性がある。
【０００９】
したがって、本発明の一般的な目的は、従来技術に関連する問題および不都合の、全てではなくとも一部を、改善または解消することである。少なくとも、商業的に有用な別の選択肢を社会に提供しようとするものである。本発明は、特に通常は建設中にコンクリート要素を位置決めするために使用される外部支持体の排除を対象としているので、主要な目的は、部品（たとえば調節ナット）および座面（たとえばワッシャ）の点数を著しく低減した、小型のセルフセンタリングおよびジャッキカプラを提供することであり、これにより、工業安全規格のほとんどの要求に適合するように、全体の固有の滑りまたは伸長を低減する。
【先行技術文献】
【特許文献】
【００１０】
【特許文献１】オーストラリア特許第２００３２１００７４号明細書
【特許文献２】国際公開第９８／４４２１５号パンフレット
【特許文献３】オーストラリア特許第２００１０５１９６８号明細書
【特許文献４】国際公開第２０１４／００００３８号パンフレット
【発明の概要】
【００１１】
一態様において、本発明は、建設中にその補強バー（鉄筋）を介して隣接するコンクリート要素を持ち上げまたは押し分け、および支持するための、小型のセルフセンタリング、ジャッキ推進、および位置決めカプラであって、
第１のコンクリート要素の鉄筋に取り付けられるネジ式ポストと、
センタリング突起を有する座面を有する統合された着座ヘッドを含むシャンクを備える、ワンピースの非回転着座スタッドであって、着座スタッドは第２のコンクリート要素の対応する対向鉄筋に固定されるようになっている、着座スタッドと、
内側ネジ式および外側ネジ式壁、ならびに端壁を有する調整カプラ部材であって、端壁はセンタリング突起を受容するように補完的に構成されており、
調整カプラ部材は、ネジ式ポストにネジ留めされて固定着座スタッドの座面に対して回転するようになっており、端壁は突起と嵌合する際、対向する鉄筋を所定のずれ公差内でセンタリングおよび同軸に位置合わせする、調整カプラ部材と、
内側ネジ式壁および端壁開口を有する囲繞カプラ部材であって、
囲繞カプラ部材は、開口を通る着座スタッドのシャンクで調整カプラ部材にネジ留めされるようになっている、囲繞カプラ部材と、
を備え、
調整カプラ部材は、ネジ式ポストにネジ留めされて嵌合され、着座ヘッドに対して吊上力または押力を加え、第１から第２のコンクリート要素の位置は徐々に正確に調整されることが可能であり、所望の最終位置を実現すると、囲繞カプラ部材は、調整カプラ部材にネジ留めされて、調整カプラ部材に対して着座ヘッドを囲繞および係止し、これにより鉄筋も結合する、カプラに属する。
【００１２】
好ましくは、着座スタッド、シャンク、およびセンタリング突起を有する着座ヘッドは、一体またはワンピース構造である。
【００１３】
好ましくは、センタリング突起は円錐形、円錐台形、または先細構成である。
【００１４】
突起を受容するようになっている調整カプラの端壁は、雄突起のものと補完構成の雌窪みを備え、突起と嵌合すると、所定のずれ公差内で対向する鉄筋を軸方向にセンタリングする。
【００１５】
好ましくは、ネジ式ポストおよび着座スタッドは、それぞれ摩擦溶接によって、対向して突起する鉄筋に永久的に取り付けられる。
【００１６】
代替例では、ネジ式ポストおよび着座スタッドは、それぞれ鉄筋に溶接された内側ネジ式ソケットによって、対向する鉄筋に取り付けられる。
【００１７】
好ましくは、調整および囲繞カプラ部材の両方は、スパナを用いてカプラ部材を一緒に締め付けるための、外側が機械加工されたファセットまたは平面を有する。
【００１８】
好ましくは、着座スタッドの着座ヘッドは円筒形のボスを備え、円筒形のボスは、その上面の中心で中心に位置する円錐形の突起を含む。
【００１９】
好ましくは、着座スタッドのシャンクは、着座ヘッドの間に縮小サイズのネックを有し、囲繞カプラ部材の開口内にあるときに増加した横方向移動または側方公差を提供する。
【００２０】
好適な例において、着座スタッドのシャンクおよび囲繞カプラは、囲繞カプラを邪魔にならないところに一時的に保持するための補完的なネジ式部分を有し、その一方で、調整カプラは所望の最終位置を実現する前に着座ヘッドと嵌合し、囲繞カプラ部材は調整カプラ部材にネジ留めされて鉄筋と結合する。
【００２１】
補完的なネジ式部分は好ましくは比較的浅く、その一時的な機能または有用性のため、わずかなネジ溝のみを備える。
【００２２】
着座ヘッドの頂部に位置する円錐形のセンタリング突起は、着座ヘッドおよび調整カプラ部材が接触するときに調整カプラ部材の位置合わせを支援するようになっている。この突起の基部の直径は、調整カプラの内径よりも小さく、対向する鉄筋のあらゆる側方のずれを許容する。この突起は、建築および建設プロセス中に着座ヘッドが調整カプラ部材から滑り落ちるのを防止するので、安全機能でもある。
【００２３】
好ましくは、突起を受容するようになっている調整カプラの端壁は、突起よりも大きいサイズの窪みまたは開口を備え、突起と完全に嵌合すると、突起と窪みまたは開口との間に少なくとも幅３ミリメートルの間隙ができる。代替例では、間隙は、幅が３ミリメートル未満であってもよい。
【００２４】
好ましくは、ネジ式ポストは、ネジ式ポストとのネジ嵌合を越えて調整カプラ部材が巻き付けられるのを防止するための安全機能として、鉄筋に取り付けられていない末端に、拡張された非ネジ式部分を有する。
【００２５】
好ましくは、ネジ式ポストは、その拡大した非ネジ式部分の末端に、円錐形の窪みまたは開口を更に有し、持ち上げられるかまたはジャッキで推進されるカプラアセンブリの全長を、所定位置に垂直に配置されている２つのコンクリート構造要素の間の狭い空間に適合するように制限する必要があるとき、円錐形のセンタリング突起に対してカプラ内における更なる垂直方向の調整空間を許容する。
【００２６】
好ましくは、調整カプラ部材に対して締め付け可能なネジ式ポスト上のロックナットがあり、完成したカプラアセンブリをさらに固定し、引張または圧縮荷重の下にあるときにカプラアセンブリの全体的な滑りまたは伸長を低減する。
【００２７】
カプラは、張力カプラとして使用するために改造されることも可能であり、改造は、
その内壁および外壁に追加のネジ溝を設けるために延長された調整カプラ部材と、
その内壁に追加のネジ溝を設けるために延長された囲繞カプラ部材と、を備え、
アセンブリ上で、両方のカプラ部材の伸長したネジ式壁により、
囲繞カプラ部材の端壁は、調整カプラ部材が着座ヘッドに接触する前に着座ヘッドと嵌合することができ、調整および囲繞カプラ部材の継続的な螺合は、対向する鉄筋を張力下に置く。
【００２８】
好ましくは、改造カプラが引張と圧縮の両方で作用する必要がある場合には、セメントグラウトまたはエポキシまたは類似の材料など、流動性の硬化型充填剤が、調整および囲繞カプラ部材を螺合したときに形成された内部空洞内に注入されることが可能である。
【００２９】
好ましくは、充填剤は、調整カプラ部材の供給穴を通じて注入されることが可能である。
【００３０】
好ましくは、充填剤が空洞内に注入されるときに空気を逃がすために調整カプラ部材に配置されたブリード穴もある。
【００３１】
好ましくは、供給穴およびブリード穴の両方は、内部にネジ溝が設けられてネジ式栓を挿入でき、空洞内に注入された後に充填剤のいかなる損失も防止する。
【００３２】
より好ましくは、内側ネジ式供給穴は、充填剤を注入するときに注入装置のネジ式末端を固定するためにも使用されてよい。
【００３３】
適切には、充填剤が必要な強度に硬化した後、改造バージョンのカプラアセンブリは、圧縮および引張力の両方の適合において等しく機能する。
【００３４】
別の態様において、本発明は、請求項１に記載のカプラを使用して、その補強バーまたはスタッドを通じて互いの上に配置されたコンクリート建築要素の位置を調整する方法であって、
ａ）調整カプラ部材がネジ留めされたネジ式ポストを第１のコンクリート要素の鉄筋に取り付けるステップと、
ｂ）囲繞カプラ部材を通過した着座スタッドを第２のコンクリート要素の対応する対向鉄筋に取り付けるステップと、
ｃ）着座スタッドの補完的なネジ式部分に囲繞カプラ部材をネジ留めし、囲繞カプラ部材を邪魔にならないところに一時的に保持するステップと、
ｄ）調整カプラ部材をポストにネジ留めし、着座ヘッドを嵌合させ、同軸に位置合わせして吊上力または押力を加え、第１および第２のコンクリート要素の位置を互いに対して調整するステップと、
ｅ）調整の完了時に、囲繞カプラ部材を調整カプラ部材にネジ留めし、着座ヘッドを囲繞および係合して鉄筋を結合するステップと、
ｆ）あらゆるロックナットを締め付け、カプラアセンブリの個々の構成要素をさらに固定するステップと、
ｇ）場合により、カプラアセンブリのあらゆる空洞を充填剤で充填するステップと、その後
ｈ）カプラアセンブリをコンクリート中に永久的に埋め込むステップと、
を含む方法に属する。
【００３５】
本発明がより良く理解されて実用的効果を得られるようにするため、ここで以下の添付図面が参照される。
【図面の簡単な説明】
【００３６】
【図１】本発明の好適なカプラの分解図である。
【図２】図１のカプラの完全に組み立てられた図である。
【図３】２つのコンクリート構造要素をまとめるときの組立プロセスにおけるカプラの断面図である。
【図４】２つのコンクリート構造要素をまとめるときの組立プロセスにおけるカプラの断面図である。
【図５】２つのコンクリート構造要素をまとめるときの組立プロセスにおけるカプラの断面図である。
【図６】カプラの調整カプラ部材、ネジ式ポスト、およびロックナットの間のアセンブリ配置の断面図である。
【図７】カプラの調整カプラ部材、ネジ式ポスト、およびロックナットの間のアセンブリ配置の断面図である。
【図８】ネジ式ポストおよび着座スタッドが補強バーに直接取り付けられている、カプラアセンブリの断面図である。
【図９】接続中の対向するバーがずれているときに着座スタッドが囲繞カプラ部材内の偏心位置にある、カプラの断面図である。
【図１０】接続中の対向するバーが位置合わせされているときに着座スタッドが囲繞カプラ部材内の同心位置にある、カプラの断面図である。
【図１１】設置プロセス中に囲繞カプラ部材を邪魔にならないところに保持するための補完的なネジ式部分を有する、着座スタッドおよび囲繞カプラ部材の詳細を示す図である。
【図１２】プレキャストコンクリート柱を接続および位置合わせするときに使用中のカプラを示す図である。
【図１３】プレキャストコンクリート柱を接続および位置合わせするときに使用中のカプラを示す図である。
【図１４】本発明の個々の構成要素の詳細を示す図である。
【図１５】引張機構としての使用を可能にする、カプラアセンブリに対する改造を示す図である。
【発明を実施するための形態】
【００３７】
図１は、補強コンクリート構造要素（図示せず）内で使用される典型的な補強バー１、１ａに接合された調整式カプラアセンブリの分解図である。
【００３８】
内側ネジ式ソケット２、２ａは、補強バー１、１ａに好ましくは摩擦溶接されるか、または別の機械的手段によって取り付けられる。囲繞カプラ部材３は、調整カプラ部材６の外側ネジ式壁６ａとの嵌合のための内側ネジ式壁３ａを含む。囲繞カプラ部材３の端壁には、着座スタッド４のシャフト４ａが通る開口または穴（この図では不明瞭）がある。
【００３９】
好ましくは、アセンブリを互いに締め付けるための１つ以上のスパナ（図示せず）の適用のため、調整カプラ部材６および囲繞カプラ部材３の外面にファセットまたは平面３ｂ、６ｂが機械加工されている。シャフト４ａを有する着座スタッド４は、内側ネジ式ソケット２内への嵌合のためのネジ式末端４ｃを有する。反対端には、吊上またはジャッキ力を加えるために調整カプラ部材６が嵌合する座面４ｅを有する着座ヘッド４ｂ（図３および図４でも４ｂとして参照される）がある。着座ヘッド４ｂの座面４ｅ上に位置して、先細または円錐形のセンタリング突起４ｄ（図３および図４でも４ｄとして参照される）は、着座スタッド４および調整カプラ部材６が接触するときに調整カプラ部材６の位置合わせを支援する。先細または円錐形の突起の基部の直径は、下部および上部補強バー１、１ａのあらゆる側方のずれを許容するために、調整カプラ部材６の内径よりも、好ましくは少なくとも３ミリメートル以下だけ、小さくなっている。先細または円錐形の突起は、建築位置合わせまたは据付プロセス中に着座スタッド４が調整カプラ部材６から誤って滑り落ちるのを防止するための安全機能でもある。シャンク４ａ（着座ヘッド４ｂとネジ式部分４ｃとの間に示されている）は、囲繞カプラ部材３の開口３ａ内にあるときに増加した横方向移動または側方公差を提供するために、好ましくは狭くなっているかまたは縮小サイズになっている（図９および図１０の８および８ａも参照）。着座スタッド４はまた、着座ヘッド４を内側ネジ式ソケット２内に締め付けるためのスパナ（図示せず）の適用のために着座ヘッド４ｂ上に機械加工された平面４ｆを有してもよい。
【００４０】
ネジ式ポスト５は、補強バー１ａに摩擦溶接されるかまたは別の機械的手段によって取り付けられた内側ネジ式ソケット２ａを介して、対向する補強バー１ａと嵌合する。反対端５ｃはソケット２ａと嵌合する。ネジ式ポスト５は、所望のネジ式嵌合部分６ｃを越えて調整カプラ部材６が巻き付けられるのを防止するための安全機能として、好ましくはやはり拡張された非ネジ式末端５ａ（図６および図７では５ａとしても参照される）を有する（図６および図７の６ｃも参照）。ネジ式ポスト５はまた、着座ヘッド４ｂの座面４ｅの中央に位置する円錐形または先細の突起４ｄ（図３および図４では４ｄとしても参照される）に適合する末端の円錐形の窪み（この図では不明瞭−図３、図４、図６、および図７の５ｂ参照）も有する。この円錐形の窪み（図３、図４、図６、および図７の５ｂ参照）は、位置合わせおよび接合されているコンクリート要素間の非常に狭い空間に適合するためにカプラアセンブリの全長を短縮する必要がある場合に、カプラアセンブリによるより大きく緊密な垂直調整を可能にする。
【００４１】
調整カプラ部材６は、囲繞カプラ部材３の内側ネジ溝３ａとの嵌合のための外側ネジ溝６ａと、ネジ式ポスト５との嵌合のための内側ネジ式壁６ｃ（図６および図７では６ｃとしても参照される）とを有する。調整カプラ部材６はまた、組立中にカプラ部材を互いに締め付けるためのスパナ（図示せず）の適用のため、外面に機械加工された平面６ｂも有する。
【００４２】
ネジ式ポスト５上のロックナット７は、カプラが完全に組み立てられたときに調整カプラ部材６に対して締め付けられる。
【００４３】
図２は、実質的に同じように番号が付されており、完全に組み立てられたときの図１の調整式カプラの図である。
【００４４】
図３、図４、および図５は、コンクリート要素を互いに接合するときの組立プロセスを示す。
【００４５】
図３において、囲繞カプラ部材３の着座スタッド４が内側ネジ式ソケット２に取り付けられている。ソケット２は、上方に位置決めされたコンクリート構造要素（図示せず）内に打ち込まれた補強鋼バー１に接続されている。調整カプラ部材６およびロックナット７は、ネジ式ポスト５を通じてソケット２ａに取り付けられている。ソケット２ａは、下方に位置するコンクリート構造要素（図示せず）内に打ち込まれた補強鋼バー１ａに接続されている。カプラは、接合および位置合わせのため２つのコンクリート構造要素がまとめられる直前に、この位置にある。
【００４６】
図４では、コンクリート構造要素（図示せず）は、調整カプラ部材６が着座ヘッド４ｂと嵌合する位置にもたらされている。先細センタリング突起４ｄは、着座ヘッド４ｂが調整式カプラ６と接触するまで下げられる際に調整カプラ部材６に位置合わせされ、着座スタッド４が調整カプラ部材６から滑り落ちるのも防止する。
【００４７】
図５は、囲繞カプラ部材３が調整カプラ部材６にネジ留めされて着座ヘッド４ｂに対して係合している、完全に組み立てられたカプラを示す。これはその後、調整カプラ部材６に対してロックナット７を締め付けることによってさらに固定される。
【００４８】
図６および図７は、調整カプラ部材６、ネジ式ポスト５、およびロックナット７の間のアセンブリ配置を示す。具体的には、図６は、ネジ式ポスト５が調整カプラ部材６の開放端６ｄを通じて供給することによって調整カプラ部材６のネジ式内壁６ｃを通じて巻き付けられている、３つの構成要素の分解図を示す。図７では、ネジ式ポスト５の末端において、拡張された非ネジ式部分５ａは、調整カプラ部材６が、調整カプラ部材６のネジ式壁６ｃ（図６でも６ｃとして参照される）の所望のネジ嵌合を越えて巻き付けられるのを防止する。これは、調整カプラ部材がネジ式ポストから外れるほど巻き付けられたか否か、またはわずかなネジ溝のみによって嵌合しているだけなのか否か、これがなければわからないため、現場でコンクリート構造物を据え付けるときには非常に重要な安全機能である。このようにして、拡張された非ネジ式部分５ａは、適切なまたは所望の程度のネジ接触によってネジ式ポスト５が調整カプラ部材６と常に嵌合することを確実にする。この特徴のより明確な説明のために、図７は、調整カプラ部材６が最低限のネジ接触６ｃ（図６および図７でも６ｃとして参照される）を越えて巻き付くのをネジ式ポスト５の拡張された非ネジ式部分５ａが防止している、完全に拡張した持ち上げ位置にある調整カプラ部材６を示す。
【００４９】
図８は、補強バー１ａに直接摩擦溶接され（または他の適切な機械的手段によって取り付けられ）、これにより内側ネジ式ソケットの必要性をなくす、ネジ式ポスト５を示す。同様に、着座スタッド４も補強バー１に直接摩擦溶接され（または他の適切な機械的手段によって取り付けられ）、これによりネジ式末端および内側ネジ式ソケットの必要性をなくす。
【００５０】
図９および図１０は、着座ヘッド４ｂが通過できるほど大きすぎないものの、着座スタッド４のシャンク４ａの狭窄またはネック状部分よりも大きい囲繞カプラ部材３の基部の開口３ａによって実現される、側方または横方向公差を実証する。提供された空間公差８および８ａは、結合または接合されている対向する鉄筋１、１ａのあらゆるわずかなずれの適合を可能にする。
【００５１】
図９は、わずかに偏心またはずれた位置にある補強バー１、１ａを示し、図１０は、ほぼ完璧に位置合わせされた位置にある補強バー１、１ａを示す。
【００５２】
図１１は、着座スタッド４と、補完的なネジ式部分８０および８１（図１３でも８０および８１として参照される）を有する囲繞カプラ部材３とを示す。これらのネジ式部分は、据付プロセス中に囲繞カプラ部材３を邪魔にならないところに保持できるようにする（図１３の８０および８１も参照）。
【００５３】
図１２および図１３は、２つのコンクリート構造要素、この場合はプレキャストコンクリート柱２０および３０を接続および位置合わせする、使用中の調整式カプラアセンブリ１０、１２、１４、１６（カプラアセンブリ１６はこの図では不明瞭）を示す。図１３は、図１２のコンクリート柱２０の基部に位置する調整式カプラアセンブリ１０のうちの１つの破断図である。調整カプラ部材６をネジ式ポスト５の周りで着座ヘッド４ｂに対して時計回りまたは反時計回り方向９に回転させることにより、２つの柱の間の距離を増減する。セット内の任意の個々のカプラアセンブリにこれを行うと、柱２０の垂直性が徐々に調整されて、柱２０の垂直位置を柱３０に対する所望の垂直位置合わせにしていく。図１３はまた、それぞれ着座スタッド４および囲繞カプラ部材６上に位置する補完的なネジ式部分８０および８１によって着座スタッド４上の邪魔にならないところに保持されている、囲繞カプラ部材３を示す。必要なカプラ調整が実現された後、囲繞カプラ部材３は、着座スタッド４上に位置する補完的なネジ式部分８０からネジを緩めることによって解放され、これにより、結合プロセスを完了するために調整カプラ部材６と嵌合できるようにする。カプラアセンブリ１０から１６の各々が最終的に調整されて所定位置に固定された後、２つのコンクリート柱２０、３０の間の空間は、その場でコンクリートで充填されることが可能である。
【００５４】
図１４は、個々の構成要素、すなわち、内側ネジ式ソケット２、囲繞カプラ部材３、着座スタッド４、ネジ式ポスト５、調整カプラ部材６、およびロックナット７の各々のより明確な図である。
【００５５】
図１５を参照すると、調整および囲繞カプラ部材の改造により、本カプラアセンブリは張力カプラとしても使用可能である。
【００５６】
調整カプラ部材６６は追加のネジ溝６７を提供するために延長されており、囲繞カプラ部材３３は追加のネジ溝３４を提供するために延長されている。この付加的な延長およびネジ溝により、２つの対向するバー７０、７２を互いに向かって引き寄せてこれらに張力をかけるために、調整式カプラアセンブリを使用することが今や可能である。
【００５７】
動作中、囲繞カプラ部材３３の端壁３３ａは、調整カプラ部材６６が着座ヘッド４ｂに接触する前に着座ヘッド４ｂと嵌合する。調整および囲繞カプラ部材６６、３３を継続してまとめてネジ留めすることにより、対向する鉄筋７０、７２に張力をかける。
【００５８】
この改造カプラが引張と圧縮の両方で作用する必要がある場合には、セメントグラウトまたはエポキシなどの流動性の硬化型材料が、カプラ部材が組み立てられた後に調整カプラ部材６６と囲繞カプラ部材３３との間に形成された内部空洞３５内に注入されることが可能である。流動性の硬化型材料は、調整カプラ部材６６の供給穴６８を通じて注入されることが可能である。調整カプラ部材６６の供給穴６８と同じ高さにあるブリード穴６９は、流動性の硬化型材料が空洞３５内に注入される際に、空気を逃がす。供給穴６８およびブリード穴６９の両方は、空洞内に注入された後に流動性の硬化型材料のいかなる損失も防止するために、ネジ式栓が挿入され得るようにするために内部にネジ溝が設けられている。内側ネジ式供給穴６８は、流動性の硬化型材料を注入するときに注入装置のネジ式末端を固定するためにも使用されてよい。流動性の硬化型材料が必要な強度に硬化した後、改造バージョンの調整式カプラアセンブリは、圧縮および引張力の両方の対向鉄筋７０、７２への伝達において等しく機能する。
【００５９】
当然ながら、上記は本発明の説明例として与えられたものであるが、当業者には明らかであろうこれに対する全てのこのようなおよびその他の改造および変更は、本明細書に明示された本発明の広範な範囲および領域に含まれると見なされることは、認識される。
【００６０】
加えて、明細書全体にわたり、用語「備える（ｃｏｍｐｒｉｓｉｎｇ）」および「包含する（ｃｏｎｔａｉｎｉｎｇ）」は、用語「含む（ｉｎｃｌｕｄｉｎｇ）」と類似の広い意味を有すると理解され、言及された物またはステップまたは物またはステップの群を含むが他の物またはステップまたは物またはステップの群を除外しないことを示唆すると理解される。この定義は、「ｃｏｍｐｒｉｓｅ」、「ｃｏｍｐｒｉｓｅｓ」、「ｃｏｎｔａｉｎ」、および「ｃｏｎｔａｉｎｓ」など、用語「ｃｏｍｐｒｉｓｉｎｇ」および「ｃｏｎｔａｉｎｉｎｇ」の活用形にも適用される。
【００６１】
また、用語「コンクリート構造要素」、「コンクリート要素」、「コンクリート構造物」、および「建築構造物」は、コンクリートのポスト、端、壁、床、梁、その他の構造物、ならびに鋼の梁、桁、ポスト、柱、またはその他の鋼の建築構成要素も含むと理解される。スタッドまたはポストが参照される場合、それらは、本明細書で説明される構造から突出する補強バーまたはロッドに等しく適用される。提供された特定の例では、用語「ネジ式」スタッドまたはポストは、外側ネジ溝を有する補強バーと同義である。用語「ネジジャッキ」、「ネジジャッキ推進」、または「ジャッキ推進」は、吊上力を付与するためにネジ溝付きのネジ機構を利用するリフタまたはジャッキによってコンクリート構造物を持ち上げることを指す、専門用語である。
【図１】
2019513926.tif 000003
【図２】
2019513926.tif 000004
【図３】
2019513926.tif 000005
【図４】
2019513926.tif 000006
【図５】
2019513926.tif 000007
【図６】
2019513926.tif 000008
【図７】
2019513926.tif 000009
【図８】
2019513926.tif 000010
【図９】
2019513926.tif 000011
【図１０】
2019513926.tif 000012
【図１１】
2019513926.tif 000013
【図１２】
2019513926.tif 000014
【図１３】
2019513926.tif 000015
【図１４】
2019513926.tif 000016
【図１５】
2019513926.tif 000017
【国際調査報告】
2019513926.tif 000018
2019513926.tif 000019
2019513926.tif 000020